(57)【要約】【課題】光源装置等の内部の壁面に容易かつ確実に装着することができるようにする。【解決手段】反射部材１０に折り曲げ線２０〜２４、孔部３０、係合片４０、延出部１５，１６及び切欠き部１７，１８を形成した。側面１１、１２、底面１３，１４、延出部１５，１６を折り曲げ線２０〜２４で裏面側に向けて折り曲げる。底面１３の端面と底面１４の端面とを近接させていき、側面１１，１２及び底面１３，１４の内側で、延出部１５の表面と延出部１６の表面とを当接させる。合片４０を孔部３０内に反射部材１０の底面側から内部に挿入すると、係合片４０が孔部３０に係合し、反射部材１０は、一様な三角形断面形状を自己保持する。壁面２０４が間隙５１を貫通させて、反射部材１０を壁面２０４に装着する。【選択図】図４
2010096975.tif 000002
【特許請求の範囲】
【請求項１】
樹脂平板を折り曲げで形成され、端面が外側に向けて露出した壁面に装着される反射部材であって、
先端部から基部までの間の少なくとも一部に前記先端部側から前記基部側に向かって互いの間隔が徐々に拡大する範囲を含む第１及び第２の側面と、
前記第１及び第２の側面のそれぞれの基部から第１及び第２の折り曲げ線を挟んで前記第２及び第１の側面に向かって延出した第１及び第２の底面と、
前記第１及び第２の底面のそれぞれに形成され、前記第１の側面と第２の側面とが近接する方向、及び前記第１及び第２の折り曲げ線に沿う方向に互いに係合する係合対と、
を備え、前記係合対を係合させた状態で前記第１の底面と前記第２の底面との間に前記壁面が貫通する間隙が形成される反射部材。
【請求項２】
前記係合対は、前記第１及び第２の底面における前記第１及び第２の折り曲げ線と反対側の端部から第３及び第４の折り曲げ線を挟んで延出した第１及び第２の延出部と、前記第１の底面に前記第３の折り曲げ線から所定距離離れて形成された第１の孔部と、前記第３の折り曲げ線に沿う方向の幅が前記第１の孔部より狭い第２の孔部であって前記第１の孔部から前記第１の延出部に連続する第２の孔部と、前記第２の延出部内に形成され前記第４の折り曲げ線側を挟んで前記第２の底部から延出する係合片であって前記第１及び第２の孔部に前記第１の底面の外側から内側に向かって貫通する係合片と、を含む請求項１に記載の反射部材。
【請求項３】
前記第１及び第２の側面は、前記先端部から前記基部までの長さが等しい平面で構成されたる請求項１又は２に記載の反射部材。
【請求項４】
前記第１及び第２の底面は、前記第１及び第２の折り曲げ線と平行な第５及び第６の折り曲げ線であって前記第１及び第２の折り曲げ線と逆方向に折り曲げられる第５及び第６の折り曲げ線を備えた請求項１乃至３の何れかに記載の反射部材。
【発明の詳細な説明】
【技術分野】
【０００１】
この発明は、光源装置等の内部で端面を外側に向けて露出させた壁面に装着される反射部材に関する。
【背景技術】
【０００２】
屋外に設置される表示パネルとして、透光性パネルの背面に光源装置を備えたものがある。このような光源装置では、表示パネルのサイズの変化に対応して照明面積も変更する必要がある。
【０００３】
そこで、従来の光源装置では、照明面積の変更に対応すべく、それぞれが独立して光源を備えた光源モジュールを複数組み合わせて表示パネルのサイズに応じた照明面積の光源装置を構成するようにしたものがある（例えば、特許文献１参照。）。
【０００４】
このような光源装置では、隣り合う光源モジュールの壁面が互いに接合された状態で内部に存在する。
【特許文献１】特開平６−３０１３４７号公報
【発明の開示】
【発明が解決しようとする課題】
【０００５】
しかし、複数の光源モジュールを組み合わせて構成された光源装置では、照明面において壁面が対向する部分に光源が存在しないため、壁面のイメージが照明面に暗部として現れ、表示パネルの全面について均一な明度を与えることができない問題がある。
【０００６】
光源装置内部に存在する壁面のイメージが照明面に現れないようにするため、壁面に反射部材を装着し、各光源モジュールが備える光源から壁面に向かう光を照明面に向けて反射させることが考えられる。
【０００７】
このような反射部材は、複数の光源モジュールを組み合わせて構成される光源装置だけでなく、内部に端面を外側に向けて露出させた壁面が存在する他の装置においても、美観の向上を目的として用いられる可能性がある。
【０００８】
この発明の目的は、光源装置等の内部の壁面に容易かつ確実に装着することができる反射部材を提供することにある。
【課題を解決するための手段】
【０００９】
この発明の反射部材は、樹脂平板を折り曲げで形成され、端面が外側に向けて露出した壁面に装着され、第１及び第２の側面、第１及び第２の底面、少なくとも１つの係合対を備えている。第１及び第２の側面は、先端部から基部までの間の少なくとも一部に先端部側から基部側に向かって互いの間隔が徐々に拡大する範囲を含む。第１及び第２の底面は、第１及び第２の側面のそれぞれの基部から第１及び第２の折り曲げ線を挟んで第２及び第１の側面に向かって延出する。係合対は、第１及び第２の底面のそれぞれに形成され、第１の側面と第２の側面とが近接する方向、及び第１及び第２の折り曲げ線に沿う方向に互いに係合する。係合対を係合させた状態で第１の底面と第２の底面との間に壁面が貫通する間隙が形成される。
【００１０】
この構成では、第１及び第２の底面は、第１及び第２の折り曲げ線で第１及び第２の側面のそれぞれの内側に向けて折り曲げて係合対を係合させると、互いに第１の側面と第２の側面とが近接する方向、及び第１及び第２の折り曲げ線に沿う方向への移動を規制される。第１及び第２の側面及び第１及び第２の底面は、閉空間を形成する状態に維持される。
【００１１】
この構成において、係合対は、第１及び第２の延出部、第１の孔部、第２の孔部、係合片を含むものとすることが好ましい。第１及び第２の延出部は、第１及び第２の底面における第１及び第２の折り曲げ線と反対側の端部から第３及び第４の折り曲げ線を挟んで延出する。第１の孔部は、第１の底面に第３の折り曲げ線から所定距離離れて形成されている。第２の孔部は、第３の折り曲げ線に沿う方向の幅が第１の孔部より狭く、第１の孔部から第１の延出部に連続して形成されている。係合片は、第２の延出部内に形成され第４の折り曲げ線側を挟んで第２の底部から延出し、第１及び第２の孔部に第１の底面の外側から内側に向かって貫通する。
【００１２】
第１の延出部と第２の延出部とを互いに接合させ、係合片を第１及び第２の孔部に第１の底面の外側から内側に向かって貫通させると、第１の孔部における第３の折り曲げ線に平行な側面が係合片と第３の折り曲げ線に直交する方向に当接する。また、第１の延出部に形成された第２の孔部における第３の折り曲げ線に直交する側面が係合片と第３の折り曲げ線に平行な方向に当接する。さらに、第１の延出部に形成された第２の孔部における第３の折り曲げ線に平行な側面が係合片と第１の延出部の面方向に当接する。
【００１３】
したがって、第３の折り曲げ線に直交する方向、第３の折り曲げ線に平行な方向、第１の延出部の面方向について、第１の底面及び第２の底面の互いに離間する方向への移動が規制され、樹脂平板は第１〜第４の折り曲げ線で折り曲げた状態の形状に確実に維持される。
【００１４】
また、第１及び第２の側面は、先端部から基部までの長さが等しい平面で構成することが好ましい。第１〜第４の折り曲げ線で折り曲げた樹脂平板が三角形の均一な断面形状に維持される。
【００１５】
さらに、第１及び第２の底面は、第１及び第２の折り曲げ線と平行な第５及び第６の折り曲げ線であって第１及び第２の折り曲げ線と逆方向に折り曲げられる第５及び第６の折り曲げ線を備えることが好ましい。反射部材を装着すべき壁面が基端側に傾斜面を有する場合に、第１及び第２の底面を壁面の傾斜面に密着させて反射部材を確実に装着することができる。
【発明の効果】
【００１６】
この発明によれば、樹脂平板を所定形状に折り曲げた形状を確実に維持することができ、光源装置等の内部の壁面に容易かつ確実に装着することができる。
【発明を実施するための最良の形態】
【００１７】
図１は、この発明の実施形態に係る反射部材が用いられる光源装置を備えた表示パネル装置の斜視図である。図２は、同表示パネル装置の断面図である。
【００１８】
表示パネル装置１００は、表示パネル１０１と光源装置２００とからなる。表示パネル１０１は、樹脂等の透光性平板からなり、表面に任意の文字、図形、写真等が表記されている。光源装置２００は、内部に例陰極管等の光源２０２を収納し、前面が開放した薄型筐体である。光源装置２００の前面の面積は表示パネル１０１と等しくされており、光源装置２００の前面を被覆するように表示パネル１０１が取り付けられる。
【００１９】
光源装置２００は、一例として２つの光源モジュール２０１を横方向に連結して構成されている。光源モジュール２０１は、横方向及び縦方向に連結自在に構成されている。表示パネル１０１の面積に応じて光源モジュール２０１の個数及び連結方向を変更することで、表示パネル１０１の面積の変化に対応できる。
【００２０】
光源モジュール２０１は、金属平板を素材としてプレス加工等によって前面が開放した薄型筐体に成形されている。光源モジュール２０１の内部には、光源２０２が略全幅にわたって配置されている。光源２０２の両端は、光源モジュール２０１の内側の角部に配置されたカバー２０３で被覆されている。
【００２１】
光源モジュール２０１の一方の壁面２０３は他の壁面よりも低くされている。２つの光源ユニット２０１は、互いの壁面２０３を接合させて連結される。
【００２２】
図３は、同表示パネル装置の要部の拡大断面図である。図３（Ａ）に示すように、連結された２つの光源モジュール２０１のそれぞれで、互いに接合された壁面２０４の近傍には光源２０２が存在しない。このため、表示パネル１０１における壁面２０４に対向する部分には、照明光のイメージとして影部１０２が形成され、表示パネル１０１に表記された文字等の美観が損なわれる。
【００２３】
そこで、図３（Ｂ）に示すように、カバー２０３の上面に載置される反射部材１０を壁面２０４の端部から装着する。光源２０２の光を反射部材１０の側面に反射させ、表示パネル１０１における壁面２０４に対向する部分に配光する。反射部材１０は、図３（Ｂ）の紙面に直交する方向の全長にわたって壁面２０４に装着される。表示パネル１０１に影部１０２が形成されることがなく、表示パネル１０１に表記された文字等の美観を損なうことがない。
【００２４】
反射部材１０は、一例として表面に光沢のある白色の樹脂平板の所定の位置にプレス加工等によって形成した折り曲げ線で折り曲げて所定の形状にしたものである。図３（Ｂ）に示す例では、反射部材１０は、先端部から基端部までが平面状の２側面を有する三角形の断面形状を呈しているが、２側面が内側に凸となる形状に湾曲又は屈曲していてもよい。
【００２５】
図４（Ａ）〜（Ｃ）は、この発明の実施形態に係る反射部材の組立工程を示す図である。反射部材１０は、一例として表面に光沢のある白色の樹脂平板を、プレス加工によって長尺状に打ち抜いて形成される。このとき、反射部材１０には、図４（Ａ）に示すように、長手方向（矢印Ｙ方向）に平行な主折り曲げ線２０、第１〜第４の折り曲げ線２１〜２４、孔部３０、係合片４０、延出部１５，１６及び切欠き部１７，１８が同時に形成される。
【００２６】
折り曲げ線２０〜２４は、反射部材１０の表面側から裏面側に達しない切り込みによって形成する。孔部３０は、矢印Ｙ方向の幅が異なる第１孔部３１と第２孔部３２とで構成され、反射部材１０の表面側から裏面側に達する打ち抜きによって形成する。係合片４０は、矢印Ｙ方向の幅が異なる第１係合部３１と第２係合３２とで構成され、反射部材１０の表面側から裏面側に達する切り込みによって形成する。係合片３０及び孔部４０がこの発明の係合対を構成する。
【００２７】
延出部１５，１６は、反射部材１０のＹ方向に平行な両側面の互いに対向する位置に、矢印Ｙ方向に沿って所定の間隔で形成する。孔部３０及び係合片４０は、延出部１５，１６内に形成する。切欠き１７，１８は、一例として反射部材１０が装着される壁面２０４（図３参照。）に取り付けられた固定ネジとの干渉を避けるべく設けられている。壁面２０４に反射部材１０を装着する際に反射部材１０に干渉する部材が壁面２０４に無い場合には、切欠き１７，１８は省略できる。
【００２８】
図４（Ｂ）に示すように、反射部材１０は、折り曲げ線２０〜２４で裏面側に向けて折り曲げる。折り曲げ線２４は、係合片４０内には形成されていない。このため、延出部１６を折り曲げ線２４で底面１４から裏面側に折り曲げた際にも、係合片４０は底面１４と面一の状態を保つ。
【００２９】
さらに、底面１３の端面と底面１４の端面とを近接させていき、図４（Ｃ）に示すように、側面１１，１２及び底面１３，１４の内側で、延出部１５の表面と延出部１６の表面とを当接させる。底面１３と底面１４との間には、延出部１５，１６及び切欠き１７，１８の形成位置を除く範囲に、間隙５１が形成される。この間隙５１の矢印Ｙ方向の幅は、壁面２０４の幅に略等しくされている。また、切欠き１７，１８は、底面１３と底面１４との間に空間５２を形成する。
【００３０】
係合片４０を孔部３０内に反射部材１０の底面側から内部に挿入すると、係合片４０が孔部３０に係合し、反射部材１０は、一様な三角形断面形状を維持する。
【００３１】
図５は、反射部材に形成された凹部及び係合片の底面側から見た斜視図である。係合片４０は、底面１４に対して延出部１６を裏面側に折り曲げることで延出部１６と分離し、矢印Ｙ方向について幅Ｌ１の第１係合部４１と幅Ｌ２の第２係合部４２とで構成されている。矢印Ｙ方向に直交する矢印Ｘ方向について、第１係合部４１は長さＬ３にされており、第２係合部４２は長さＬ４にされている。第１係合部４１の開放端側は、傾斜面４１１が形成されている。
【００３２】
孔部３０は、底面１３と延出部１５とに連続して形成されており、矢印Ｙ方向について幅Ｌ６の第１孔部３１と幅Ｌ７の第２孔部３２とで構成されている。矢印Ｘ方向について、第１孔部３１は長さＬ８にされており、第２孔部３２は長さＬ９にされている。第２孔部３２の第１孔部３１側の側面には、傾斜面３１１が形成されている。
【００３３】
矢印Ｘ方向及び矢印Ｙ方向に直交する矢印Ｚ方向について、係合片４０は反射部材１０の全体と同様に厚さＬ５にされており、第２孔部３２は深さＬ１０にされている。
【００３４】
上記の各部の寸法は、少なくともＬ１≦Ｌ６、Ｌ２≦Ｌ７、Ｌ５≦Ｌ８、Ｌ５≦Ｌ１０、Ｌ９≦Ｌ４の関係にされている。
【００３５】
図６は、組立後の反射部材の断面図である。反射部材１０における凹部３０及び係合片４０の各部の寸法が図５に示す関係にされているため、係合片４０を反射部材１０の底面側から孔部３０を経由して反射部材１０の内部に挿入すると、第１係合部の先端が底面１３の裏面（内側面）に当接する。また、第２係合部４２は、第２凹部３２内に位置する。さらに、第１延出部４１の底面１４側の側面が、延出部１５の裏面に当接する。
【００３６】
これらにより、延出部１５の表面と延出部１６の表面との当接状態が維持され、図５に示した矢印Ｘ，Ｙ，Ｚの３方向について、底面１３及び底面１４が互いに離間する方向へ移動することを規制できる。このため、反射部材１０は断面形状を自己保持し、作業者は、反射部材１０の形状を維持することなく、図４（Ｃ）に示した間隙５１に壁面２０４を貫通かせることで、反射部材１０を壁面２０４に容易に装着することができる。なお、反射部材１０は、底面１３，１４をカバー２０３に接着剤や両面テープを介して接着され、壁面２０４に対する装着状態が維持される。
【００３７】
第２孔部３２には傾斜面３１１が形成されており、第１係合部４１には傾斜面４１１が形成されているため、係合片４０を孔部３０に容易に貫通させることができる。反射部材１０の素材や寸法形状によって係合片４０を孔部３０に容易に貫通させることができることを条件に、傾斜面３１１及び４１１を省略できる。また、傾斜面３１１及び４１１に代えて円弧形状とすることもできる。
【００３８】
図７は、この発明の別の実施形態に係る反射部材の断面図である。反射部材１１０は、側面１１，１２のそれぞれと底面１３，１４のそれぞれとの間に、斜面１３１，１４１を形成したものである。底面１３，１４には、延出部１５，１６とともに孔部３０及び係合片４０が形成されている。斜面１３１，１４１は、壁面２０４に設けられたカバー２０３の斜面に当接する。
【００３９】
反射部材１１０は、斜面１３１，１４１を備えることでカバー２０３との接合面積が拡大するとともに、弾性力によって斜面１３１，１４１をカバー２０３に圧接させることができ、壁面２０４に対する装着状態をより確実に維持できる。
【００４０】
なお、反射部材１１０には、底面１３，１４と斜面１３１，１４１との間に、裏面側から折り曲げ線１１１，１１２を形成する。
【００４１】
また、上述の反射部材１０及び１１０は、表示ユニット１００の光源装置２００だけでなく、内部に端面を露出して位置する壁面を備えた装置に同様に適用することができる。
【００４２】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００４３】
【図１】この発明の実施形態に係る反射部材が用いられる光源装置を備えた表示パネル装置の斜視図である。
【図２】同表示パネル装置の断面図である。
【図３】同表示パネル装置の要部の拡大断面図である。
【図４】この発明の実施形態に係る反射部材の組立工程を示す図である。
【図５】反射部材に形成された凹部及び係合片の底面側から見た斜視図である。
【図６】同反射部材の組立後の断面図である。
【図７】この発明の別の実施形態に係る反射部材の断面図である。
【符号の説明】
【００４４】
１０−反射部材
１１，１２−側面
１３，１４−底面
１５，１６−延出部
２０〜２４−折り曲げ線
３０−孔部
４０−係合片
１００−表示パネル装置
２００−光源装置
２０１−光源モジュール
２０３−カバー
２０４−壁面
【図１】
2010096975.tif 000003
【図２】
2010096975.tif 000004
【図３】
2010096975.tif 000005
【図４】
2010096975.tif 000006
【図５】
2010096975.tif 000007
【図６】
2010096975.tif 000008
【図７】
2010096975.tif 000009